【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
第１のノードにおけるワイヤレス通信の方法であって、
同期情報に基づいてデータフレームを決定すること、ここにおいて、前記データフレームは、シグナリングブロックと複数のデータスロットとを有し、前記シグナリングブロックは、前記複数のデータスロットより前にある、と、
第１のパケットを送信または受信する、前記複数のデータスロットのうちの第１のデータスロットを予約するために、前記シグナリングブロック中で第２のノードと通信することと、
前記第１のデータスロットの間に、前記第２のノードに前記第１のパケットを送信することまたは前記第２のノードから前記第１のパケットを受信することと
を備える、方法。
【請求項２】
前記第１のノードがパケットを送信または受信しない、前記複数のデータスロットのうちの少なくとも１つの第２のスロットを決定することと、
前記少なくとも１つの第２のデータスロットの間スリープすることと、
前記シグナリングブロックの間の通信のためにアウェイクにとどまることと
を備える、請求項１に記載の方法。
【請求項３】
前記シグナリングブロックは、前記複数のデータスロットのうちの１つのスロットに各々対応する複数の要素期間を含み、
前記第２のノードと前記通信することは、前記第１のデータスロットに対応する要素期間中で実行される、
請求項１に記載の方法。
【請求項４】
前記複数のデータスロットは、Ｍ1優先スロットおよびＭ2競合スロットを含み、Ｍ1およびＭ2各々は、整数であり、前記Ｍ1優先スロットは、優先ベーストラフィックに割り振られ、前記Ｍ2競合スロットは、競合ベーストラフィックに割り振られる、
請求項３に記載の方法。
【請求項５】
前記第１のパケットが競合ベーストラフィックであると決定することと、
前記Ｍ2競合スロットに対応する前記複数の要素期間のうちの要素期間から第１の要素期間を選択すること、ここにおいて、前記第２のノードと前記通信することは、前記第１の要素期間の間に実行され、
前記第２のノードに要求メッセージを送ることと、
前記第２のノードから応答メッセージを受信することと
を含む、と、
前記第１の要素期間が前記第１のデータスロットに対応すると決定すること、ここにおいて、前記第１のデータスロットは、前記Ｍ2競合スロットのうちの１つである、と、
前記第１のデータスロットの間の通信のためにアウェイクにとどまること、ここにおいて、前記第１のパケットは、前記第１のデータスロットの間に前記第２のノードに送信される、と
をさらに備える、請求項４に記載の方法。
【請求項６】
前記第２のノードと前記通信することは、前記複数の要素期間のうちの第１の要素期間の間に実行され、
前記第２のノードから要求メッセージを受信することと、
前記第１の要素期間が前記Ｍ2競合スロットに対応する要素期間からのものであると決定することと、
前記第２のノードに応答メッセージを送ることと
を含み、
前記方法は、
前記第１の要素期間が前記第１のデータスロットに対応すると決定すること、ここにおいて、前記第１のデータスロットは、前記Ｍ2競合スロットのうちの１つである、と、
前記第１のデータスロットの間の通信のためにアウェイクにとどまること、ここにおいて、前記第１のパケットは、前記第１のデータスロットの間に前記第２のノードから受信される、と
をさらに備える、請求項４に記載の方法。
【請求項７】
前記第１のパケットが優先ベーストラフィックであると決定することと、
前記Ｍ1優先スロットに対応する前記複数の要素期間のうちの要素期間から第１の要素期間を選択すること、ここにおいて、前記第２のノードと前記通信することは、前記第１の要素期間の間に実行され、
前記第２のノードに要求メッセージを送ることと、
前記第２のノードから応答メッセージを受信することと
を含む、と、
前記第１の要素期間が前記第１のデータスロットに対応すると決定すること、ここにおいて、前記第１のデータスロットは、前記Ｍ1優先スロットのうちの１つである、と、
前記第１のデータスロットの間の通信のためにアウェイクにとどまること、前記第１のパケットは、前記第１のデータスロットの間に前記第２のノードに送信される、と
をさらに備える、請求項４に記載の方法。
【請求項８】
前記第２のノードと前記通信することは、前記複数の要素期間のうちの第１の要素期間の間に実行され、
前記第２のノードから要求メッセージを受信することと、
前記第１の要素期間が前記Ｍ1優先スロットに対応する要素期間からのものであると決定することと、
前記第２のノードに応答メッセージをおくることと
を含み、
前記方法は、
前記第１の要素期間が前記第１のデータスロットに対応すると決定すること、ここにおいて、前記第１のデータスロットは、前記Ｍ1優先スロットのうちの１つである、と、
前記第１のデータスロットの間の通信のためにアウェイクにとどまること、ここにおいて、前記第１のパケットは、前記第１のデータスロットの間に前記第２のノードから受信される、と
をさらに備える、請求項４に記載の方法。
【請求項９】
前記シグナリングブロック中でシグナリングメッセージを受信することと、
前記シグナリングメッセージが第３のノードから送られたと決定することと、
前記第３のノードと関連付けると決定することと、
前記シグナリングメッセージから前記第３のノードのネットワーク情報を取得することと、
前記第３のノードの前記ネットワーク情報に基づいて、前記シグナリングブロック中で前記第３のノードに関連付けメッセージを送ること、ここにおいて、前記関連付けメッセージは、前記第３のノードと関連付けることを要求する、と
をさらに備える、請求項１に記載の方法。
【請求項１０】
ネットワークから前記同期情報を受信することをさらに備える、
請求項１に記載の方法。
【請求項１１】
ワイヤレス通信のための装置であって、前記装置は、第１のノードであり、
同期情報に基づいてデータフレームを決定するための手段、ここにおいて、前記データフレームは、シグナリングブロックと複数のデータスロットとを有し、前記シグナリングブロックは、前記データスロットより前にある、と、
第１のパケットを送信または受信する、前記複数のデータスロットのうちの第１のデータスロットを予約するために、前記シグナリングブロック中で第２のノードと通信するための手段と、
前記第１のデータスロットの間に、前記第２のノードに前記第１のパケットを送信することまたは前記第２のノードから前記第１のパケットを受信するための手段と
を備える、装置。
【請求項１２】
前記第１のノードがパケットを送信または受信しない、前記複数のデータスロットのうちの少なくとも１つの第２のスロットを決定するための手段と、
前記少なくとも１つの第２のデータスロットの間スリープするための手段と、
前記シグナリングブロックの間の通信のためにアウェイクにとどまるための手段と
を備える、請求項１１に記載の装置。
【請求項１３】
前記シグナリングブロックは、前記複数のデータスロットのうちの１つのスロットに各々対応する複数の要素期間を含み、
前記第２のノードと前記通信することは、前記第１のデータスロットに対応する要素期間中で実行される、
請求項１１に記載の装置。
【請求項１４】
前記複数のデータスロットは、Ｍ1優先スロットおよびＭ2競合スロットを含み、Ｍ1およびＭ2各々は、整数であり、前記Ｍ1優先スロットは、優先ベーストラフィックに割り振られ、前記Ｍ2競合スロットは、競合ベーストラフィックに割り振られる、
請求項１３に記載の装置。
【請求項１５】
実行されると、少なくとも１つのコンピュータに、請求項１乃至１０のうちの１項に従う方法を実行させるための実行可能命令を備える、コンピュータプログラム。
【手続補正２】
【補正対象書類名】明細書
【補正対象項目名】０１１８
【補正方法】変更
【補正の内容】
【０１１８】
[00132]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
第１のノードにおけるワイヤレス通信の方法であって、
同期情報に基づいてデータフレームを決定すること、ここにおいて、前記データフレームは、シグナリングブロックと複数のデータスロットとを有し、前記シグナリングブロックは、前記データスロットより前にある、と、
第１のパケットを送信または受信する、前記複数のデータスロットのうちの第１のデータスロットを予約するために、前記シグナリングブロック中で第２のノードと通信することと、
前記第１のデータスロットの間に、前記第２のノードに前記第１のパケットを送信することまたは前記第２のノードから前記第１のパケットを受信することと
を備える、方法。
［Ｃ２］
前記第１のノードがパケットを送信または受信しない、前記複数のデータスロットのうちの少なくとも１つの第２のスロットを決定することと、
前記少なくとも１つの第２のデータスロットの間スリープすることと、
前記シグナリングブロックの間の通信のためにアウェイクにとどまることと
を備える、［Ｃ１］に記載の方法。
［Ｃ３］
前記シグナリングブロックは、前記複数のデータスロットのうちの１つのスロットに各々対応する複数の要素期間を含み、
前記第２のノードと前記通信することは、前記第１のデータスロットに対応する要素期間中で実行される、
［Ｃ１］に記載の方法。
［Ｃ４］
前記複数のデータスロットは、Ｍ1優先スロットおよびＭ2競合スロットを含み、Ｍ1およびＭ2各々は、整数であり、前記Ｍ1優先スロットは、優先ベーストラフィックに割り振られ、前記Ｍ2競合スロットは、競合ベーストラフィックに割り振られる、
［Ｃ３］に記載の方法。
［Ｃ５］
前記第１のパケットが競合ベーストラフィックであると決定することと、
前記Ｍ2競合スロットに対応する前記複数の要素期間のうちの要素期間から第１の要素期間を選択すること、ここにおいて、前記第２のノードと前記通信することは、前記第１の要素期間の間に実行され、
前記第２のノードに要求メッセージを送ることと、
前記第２のノードから応答メッセージを受信することと
を含む、と、
前記第１の要素期間が前記第１のデータスロットに対応すると決定すること、ここにおいて、前記第１のデータスロットは、前記Ｍ2競合スロットのうちの１つである、と、
前記第１のデータスロットの間の通信のためにアウェイクにとどまること、ここにおいて、前記第１のパケットは、前記第１のデータスロットの間に前記第２のノードに送信される、と
をさらに備える、［Ｃ４］に記載の方法。
［Ｃ６］
前記第２のノードと前記通信することは、前記複数の要素期間のうちの第１の要素期間の間に実行され、
前記第２のノードから要求メッセージを受信することと、
前記第１の要素期間が前記Ｍ2競合スロットに対応する要素期間からのものであると決定することと、
前記第２のノードに応答メッセージを送ることと
を含み、
前記方法は、
前記第１の要素期間が前記第１のデータスロットに対応すると決定すること、ここにおいて、前記第１のデータスロットは、前記Ｍ2競合スロットのうちの１つである、と、
前記第１のデータスロットの間の通信のためにアウェイクにとどまること、ここにおいて、前記第１のパケットは、前記第１のデータスロットの間に前記第２のノードから受信される、と
をさらに備える、［Ｃ４］に記載の方法。
［Ｃ７］
前記第１のパケットが優先ベーストラフィックであると決定することと、
前記Ｍ1優先スロットに対応する前記複数の要素期間のうちの要素期間から第１の要素期間を選択すること、ここにおいて、前記第２のノードと前記通信することは、前記第１の要素期間の間に実行され、
前記第２のノードに要求メッセージを送ることと、
前記第２のノードから応答メッセージを受信することと
を含む、と、
前記第１の要素期間が前記第１のデータスロットに対応すると決定すること、ここにおいて、前記第１のデータスロットは、前記Ｍ1優先スロットのうちの１つである、と、
前記第１のデータスロットの間の通信のためにアウェイクにとどまること、前記第１のパケットは、前記第１のデータスロットの間に前記第２のノードに送信される、と
をさらに備える、［Ｃ４］に記載の方法。
［Ｃ８］
前記第２のノードと前記通信することは、前記複数の要素期間のうちの第１の要素期間の間に実行され、
前記第２のノードから要求メッセージを受信することと、
前記第１の要素期間が前記Ｍ1優先スロットに対応する要素期間からのものであると決定することと、
前記第２のノードに応答メッセージをおくることと
を含み、
前記方法は、
前記第１の要素期間が前記第１のデータスロットに対応すると決定すること、ここにおいて、前記第１のデータスロットは、前記Ｍ1優先スロットのうちの１つである、と、
前記第１のデータスロットの間の通信のためにアウェイクにとどまること、ここにおいて、前記第１のパケットは、前記第１のデータスロットの間に前記第２のノードから受信される、と
をさらに備える、［Ｃ４］に記載の方法。
［Ｃ９］
前記シグナリングブロック中でシグナリングメッセージを受信することと、
前記シグナリングメッセージが第３のノードから送られたと決定することと、
前記第３のノードと関連付けると決定することと、
前記シグナリングメッセージから前記第３のノードのネットワーク情報を取得することと、
前記第３のノードの前記ネットワーク情報に基づいて、前記シグナリングブロック中で前記第３のノードに関連付けメッセージを送ること、ここにおいて、前記関連付けメッセージは、前記第３のノードと関連付けることを要求する、と
をさらに備える、［Ｃ１］に記載の方法。
［Ｃ１０］
ネットワークから前記同期情報を受信することをさらに備える、
［Ｃ１］に記載の方法。
［Ｃ１１］
ワイヤレス通信のための装置であって、前記装置は、第１のノードであり、
同期情報に基づいてデータフレームを決定するための手段、ここにおいて、前記データフレームは、シグナリングブロックと複数のデータスロットとを有し、前記シグナリングブロックは、前記データスロットより前にある、と、
第１のパケットを送信または受信する、前記複数のデータスロットのうちの第１のデータスロットを予約するために、前記シグナリングブロック中で第２のノードと通信するための手段と、
前記第１のデータスロットの間に、前記第２のノードに前記第１のパケットを送信することまたは前記第２のノードから前記第１のパケットを受信するための手段と
を備える、装置。
［Ｃ１２］
前記第１のノードがパケットを送信または受信しない、前記複数のデータスロットのうちの少なくとも１つの第２のスロットを決定するための手段と、
前記少なくとも１つの第２のデータスロットの間スリープするための手段と、
前記シグナリングブロックの間の通信のためにアウェイクにとどまるための手段と
を備える、［Ｃ１１］に記載の装置。
［Ｃ１３］
前記シグナリングブロックは、前記複数のデータスロットのうちの１つのスロットに各々対応する複数の要素期間を含み、
前記第２のノードと前記通信することは、前記第１のデータスロットに対応する要素期間中で実行される、
［Ｃ１１］に記載の装置。
［Ｃ１４］
前記複数のデータスロットは、Ｍ1優先スロットおよびＭ2競合スロットを含み、Ｍ1およびＭ2各々は、整数であり、前記Ｍ1優先スロットは、優先ベーストラフィックに割り振られ、前記Ｍ2競合スロットは、競合ベーストラフィックに割り振られる、
［Ｃ１３］に記載の装置。
［Ｃ１５］
前記第１のパケットが競合ベーストラフィックであると決定するための手段と、
前記Ｍ2競合スロットに対応する前記複数の要素期間のうちの要素期間から第１の要素期間を選択するための手段、ここにおいて、前記第２のノードと前記通信するための手段は、前記第１の要素期間の間に前記第２のノードとの前記通信を実行するように構成され、前記第２のノードとの前記通信を実行するために、前記第２のノードと前記通信するための手段は、
前記第２のノードに要求メッセージを送ることと、
前記第２のノードから応答メッセージを受信することと
を行うように構成される、と、
前記第１の要素期間が前記第１のデータスロットに対応すると決定するための手段、ここにおいて、前記第１のデータスロットは、前記Ｍ2競合スロットのうちの１つである、と、
前記第１のデータスロットの間の通信のためにアウェイクにとどまること、ここにおいて、前記第１のパケットは、前記第１のデータスロットの間に前記第２のノードに送信される、と
をさらに備える、［Ｃ１４］に記載の装置。
［Ｃ１６］
前記第２のノードと前記通信するための手段は、前記複数の期間のうちの第１の要素期間の間に前記第２のノードとの前記通信を実行するように構成され、前記第２のノードと前記通信を実行するために、前記第２のノードと前記通信するための手段は、
前記第２のノードから要求メッセージを受信することと、
前記第１の要素期間が前記Ｍ2競合スロットに対応する要素期間からのものであると決定することと、
前記第２のノードに応答メッセージを送ることと
を行うように構成され、
前記装置は、
前記第１の要素期間が前記第１のデータスロットに対応すると決定するための手段、ここにおいて、前記第１のデータスロットは、前記Ｍ2競合スロットのうちの１つである、と、
前記第１のデータスロットの間の通信のためにアウェイクにとどまるための手段、ここにおいて、前記第１のパケットは、前記第１のデータスロットの間に前記第２のノードから受信される、と
をさらに備える、［Ｃ１４］に記載の装置。
［Ｃ１７］
前記第１のパケットが優先ベーストラフィックであると決定するための手段と、
前記Ｍ1優先スロットに対応する前記複数の要素期間のうちの要素期間から第１の要素期間を選択するための手段、ここにおいて、前記第２のノードと前記通信するための手段は、前記第１の要素期間の間に前記第２のノードとの前記通信を実行するように構成され、前記第２のノードとの前記通信を実行するために、前記第２のノードと前記通信するための手段は、
前記第２のノードに要求メッセージを送ることと、
前記第２のノードから応答メッセージを受信することと
を行うように構成される、と、
前記第１の要素期間が前記第１のデータスロットに対応すると決定するための手段、ここにおいて、前記第１のデータスロットは、前記Ｍ1優先スロットのうちの１つである、と、
前記第１のデータスロットの間の通信のためにアウェイクにとどまるための手段、前記第１のパケットは、前記第１のデータスロットの間に前記第２のノードに送信される、と
をさらに備える、［Ｃ１４］に記載の装置。
［Ｃ１８］
前記第２のノードと前記通信するための手段は、前記複数の要素期間のうちの第１の要素期間の間に前記第２のノードと前記通信を実行するように構成され、前記第２のノードと前記通信を実行するために、前記第２のノードと前記通信するための手段は、
前記第２のノードから要求メッセージを受信することと、
前記第１の要素期間が前記Ｍ1優先スロットに対応する要素期間からのものであると決定することと、
前記第２のノードに応答メッセージをおくることと
を行うように構成され、
前記装置は、
前記第１の要素期間が前記第１のデータスロットに対応すると決定するための手段、ここにおいて、前記第１のデータスロットは、前記Ｍ1優先スロットのうちの１つである、と、
前記第１のデータスロットの間の通信のためにアウェイクにとどまるための手段、ここにおいて、前記第１のパケットは、前記第１のデータスロットの間に前記第２のノードから受信される、と
をさらに備える、［Ｃ１４］に記載の装置。
［Ｃ１９］
前記シグナリングブロック中でシグナリングメッセージを受信するための手段と、
前記シグナリングメッセージが第３のノードから送られたと決定するための手段と、
前記第３のノードと関連付けると決定するための手段と、
前記シグナリングメッセージから前記第３のノードのネットワーク情報を取得するための手段と、
前記第３のノードの前記ネットワーク情報に基づいて、前記シグナリングブロック中で前記第３のノードに関連付けメッセージを送るための手段、ここにおいて、前記関連付けメッセージは、前記第３のノードと関連付けることを要求する、と
をさらに備える、［Ｃ１１］に記載の装置。
［Ｃ２０］
ネットワークから前記同期情報を受信するための手段をさらに備える、
［Ｃ１１］に記載の装置。
［Ｃ２１］
ワイヤレス通信のための装置であって、前記装置は、第１のノードであり、
メモリと、
前記メモリに結合された少なくとも１つのプロセッサと
を備え、前記少なくとも１つのプロセッサは、
同期情報に基づいてデータフレームを決定すること、ここにおいて、前記データフレームは、シグナリングブロックと複数のデータスロットとを有し、前記シグナリングブロックは、前記データスロットより前にある、と、
第１のパケットを送信または受信する、前記複数のデータスロットのうちの第１のデータスロットを予約するために、前記シグナリングブロック中で第２のノードと通信することと、
前記第１のデータスロットの間に、前記第２のノードに前記第１のパケットを送信することまたは前記第２のノードから前記第１のパケットを受信することと
を行うように構成される、装置。
［Ｃ２２］
前記少なくとも１つのプロセッサは、
前記第１のノードがパケットを送信または受信しない、前記複数のデータスロットのうちの少なくとも１つの第２のスロットを決定することと、
前記少なくとも１つの第２のデータスロットの間スリープすることと、
前記シグナリングブロックの間の通信のためにアウェイクにとどまることと
を行うようにさらに構成される、［Ｃ２１］に記載の装置。
［Ｃ２３］
前記シグナリングブロックは、前記複数のデータスロットのうちの１つのスロットに各々対応する複数の要素期間を含み、
前記第２のノードと前記通信することは、前記第１のデータスロットに対応する要素期間中で実行される、
［Ｃ２１］に記載の装置。
［Ｃ２４］
前記複数のデータスロットは、Ｍ1優先スロットおよびＭ2競合スロットを含み、Ｍ1およびＭ2各々は、整数であり、前記Ｍ1優先スロットは、優先ベーストラフィックに割り振られ、前記Ｍ2競合スロットは、競合ベーストラフィックに割り振られる、
［Ｃ２３］に記載の装置。
［Ｃ２５］
前記少なくとも１つのプロセッサは、
前記第１のパケットが競合ベーストラフィックであると決定することと、
前記Ｍ2競合スロットに対応する前記複数の要素期間のうちの要素期間から第１の要素期間を選択すること、ここにおいて、前記少なくとも１つのプロセッサは、前記第１の要素期間の間に前記第２のノードと前記通信を実行するようにさらに構成され、前記第２のノードと前記通信を実行するために、前記少なくとも１つのプロセッサは、
前記第２のノードに要求メッセージを送ることと、
前記第２のノードから応答メッセージを受信することと
を行うようにさらに構成される、と、
前記第１の要素期間が前記第１のデータスロットに対応すると決定すること、ここにおいて、前記第１のデータスロットは、前記Ｍ2競合スロットのうちの１つである、と、
前記第１のデータスロットの間の通信のためにアウェイクにとどまること、ここにおいて、前記第１のパケットは、前記第１のデータスロットの間に前記第２のノードに送信される、と
を行うようにさらに構成される、［Ｃ２４］に記載の装置。
［Ｃ２６］
前記少なくとも１つのプロセッサは、前記複数の要素期間のうちの第１の要素期間の間に前記第２のノードと前記通信を実行するようにさらに構成され、前記第２のノードと前記通信を実行するために、前記少なくとも１つのプロセッサは、
前記第２のノードから要求メッセージを受信すること、
前記第１の要素期間が前記Ｍ2競合スロットに対応する要素期間からのものであると決定することと、
前記第２のノードに応答メッセージを送ることと
を行うようにさらに構成され、
前記少なくとも１つのプロセッサは、
前記第１の要素期間が前記第１のデータスロットに対応すると決定すること、ここにおいて、前記第１のデータスロットは、前記Ｍ2競合スロットのうちの１つである、と、
前記第１のデータスロットの間の通信のためにアウェイクにとどまること、ここにおいて、前記第１のパケットは、前記第１のデータスロットの間に前記第２のノードから受信される、と
を行うようにさらに構成される、［Ｃ２４］に記載の装置。
［Ｃ２７］
前記少なくとも１つのプロセッサは、
前記第１のパケットが優先ベーストラフィックであると決定することと、
前記Ｍ1優先スロットに対応する前記複数の要素期間のうちの要素期間から第１の要素期間を選択すること、ここにおいて、前記少なくとも１つのプロセッサは、前記第１の要素期間の間に前記第２のノードと前記通信を実行するようにさらに構成され、前記第２のノードと前記通信を実行するために、前記少なくとも１つのプロセッサは、
前記第２のノードに要求メッセージを送ることと、
前記第２のノードから応答メッセージを受信することと
を行うようにさらに構成される、と、
前記第１の要素期間が前記第１のデータスロットに対応すると決定すること、ここにおいて、前記第１のデータスロットは、前記Ｍ1優先スロットのうちの１つである、と、
前記第１のデータスロットの間の通信のためにアウェイクにとどまること、前記第１のパケットは、前記第１のデータスロットの間に前記第２のノードに送信される、と
を行うようにさらに構成される、［Ｃ２４］に記載の装置。
［Ｃ２８］
前記少なくとも１つのプロセッサは、前記複数の要素期間のうちの第１の要素期間の間に前記第２のノードと前記通信を実行するようにさらに構成され、前記第２のノードと前記通信を実行するために、前記少なくとも１つのプロセッサは、
前記第２のノードから要求メッセージを受信することと、
前記第１の要素期間が前記Ｍ1優先スロットに対応する要素期間からのものであると決定することと、
前記第２のノードに応答メッセージをおくることと
を行うようにさらに構成され、
前記少なくとも１つのプロセッサは、
前記第１の要素期間が前記第１のデータスロットに対応すると決定すること、ここにおいて、前記第１のデータスロットは、前記Ｍ1優先スロットのうちの１つである、と、
前記第１のデータスロットの間の通信のためにアウェイクにとどまること、ここにおいて、前記第１のパケットは、前記第１のデータスロットの間に前記第２のノードから受信される、と
を行うようにさらに構成される、［Ｃ２４］に記載の装置。
［Ｃ２９］
前記少なくとも１つのプロセッサは、
ネットワークから前記同期情報を受信することと、
前記シグナリングブロック中でシグナリングメッセージを受信することと、
前記シグナリングメッセージが第３のノードから送られたと決定することと、
前記第３のノードと関連付けると決定することと、
前記シグナリングメッセージから前記第３のノードのネットワーク情報を取得することと、
前記第３のノードの前記ネットワーク情報に基づいて、前記シグナリングブロック中で前記第３のノードに関連付けメッセージを送ること、ここにおいて、前記関連付けメッセージは、前記第３のノードと関連付けることを要求する、と
を行うようにさらに構成される、［Ｃ２１］に記載の装置。
［Ｃ３０］
ワイヤレス通信のためのコンピュータ実行可能コードを記憶するコンピュータ可読媒体であって、
同期情報に基づいてデータフレームを決定すること、ここにおいて、前記データフレームは、シグナリングブロックと複数のデータスロットとを有し、前記シグナリングブロックは、前記データスロットより前にある、と、
第１のパケットを送信または受信する、前記複数のデータスロットのうちの第１のデータスロットを予約するために、前記シグナリングブロック中で第２のノードと通信することと、
前記第１のデータスロットの間に、前記第２のノードに前記第１のパケットを送信することまたは前記第２のノードから前記第１のパケットを受信することと
を行うためのコードを備える、コンピュータ可読媒体。